(57)【要約】【課題】複数の投射光の偏光軸が異なる構成であっても、その偏光軸の相違が、観察者が認識する色相に及ぼす影響を低減する。【解決手段】右眼用シャッタ３１０および左眼用シャッタ３２０が対称軸３３０について線対称に配置された立体視用メガネ３００において、右眼用シャッタ３１０および左眼用シャッタ３２０の各々が、入射側偏光板３０１および出射側偏光板３０８、ならびに入射側偏光板３０１と出射側偏光板３０８との間に位置する液晶３０４を含み、右眼用シャッタ３１０および左眼用シャッタ３２０の各々が、液晶３０４の印加電圧に応じて開閉し、右眼用シャッタ３１０および左眼用シャッタ３２０の各々の入射側偏光板３０１の偏光軸３４０が、対称軸３３０に対して傾斜している。【選択図】図４
2012037746.tif 000002
【特許請求の範囲】
【請求項１】
右眼用シャッタおよび左眼用シャッタが対称軸について線対称に配置された立体視用メガネであって、
前記右眼用シャッタおよび前記左眼用シャッタの各々が、入射側偏光板および出射側偏光板、ならびに前記入射側偏光板と前記出射側偏光板との間に位置する液晶を含み、
前記右眼用シャッタおよび前記左眼用シャッタの各々が、前記液晶の印加電圧に応じて開閉し、
前記右眼用シャッタおよび前記左眼用シャッタの各々の前記入射側偏光板の偏光軸が、前記対称軸に対して傾斜している
ことを特徴とする立体視用メガネ。
【請求項２】
前記右眼用シャッタおよび前記左眼用シャッタの各々の前記入射側偏光板の前記偏光軸が、前記対称軸に対して４５度±５度の範囲にある
ことを特徴とする請求項１に記載の立体視用メガネ。
【請求項３】
前記右眼用シャッタの前記入射側偏光板の前記偏光軸と、前記左眼用シャッタの前記入射側偏光板の前記偏光軸とが、前記対称軸について線対称である
ことを特徴とする請求項１または２に記載の立体視用メガネ。
【請求項４】
偏光軸の方向が相異なる第１投射光および第２投射光を投射して、右眼用画像および左眼用画像を時分割表示する投射型表示装置と、
請求項１から請求項３のいずれか１項に記載された立体視用メガネとを備える
ことを特徴とする立体視用電子機器。
【請求項５】
前記第１投射光および前記第２投射光は、相異なる色相を有し、
前記第１投射光および前記第２投射光の各々は、２以上の相異なる方向の偏光軸を有する
ことを特徴とする請求項４に記載の立体視用電子機器。
【発明の詳細な説明】
【技術分野】
【０００１】
本発明は、画像を立体視するための技術に関する。
【背景技術】
【０００２】
左右視差を有する右眼用映像と左眼用映像とを時分割表示することにより、立体視映像を認識させるフレームシーケンシャル方式の立体視方法が、従来から提案されている。このフレームシーケンシャル方式においては、時分割表示される映像と同期して交互に開閉する右眼用シャッタおよび左眼用シャッタを有するメガネ（アクティブシャッタメガネ）を利用者が着用することにより、左右視差を反映した異なる映像が利用者の右眼および左眼にそれぞれ提示され、立体視映像として認識される（特許文献１）。
【０００３】
フレームシーケンシャル方式は、直視型表示装置でも、赤色光・緑色光・青色光それぞれに液晶ライトバルブを設ける投射型表示装置（三板式ライトバルブ方式の液晶プロジェクタ等）でも採用可能である。
【０００４】
一般に、三板式ライトバルブを有する液晶プロジェクタにおいては、各液晶ライトバルブの視角特性の差から生じる表示ムラを回避するために、液晶ライトバルブごとにその液晶の配向方向を異ならせている。そのため、そのような液晶プロジェクタから投射される投射光は、色ごと（すなわち波長域ごと）に異なる偏光軸を有する偏光となっている。
【０００５】
図１に示す例では、投射型表示装置１００から投射された投射光Ｌｐは、鉛直方向に振動する赤色偏光および青色偏光、ならびに水平方向に振動する緑色偏光を含む。投射光Ｌｐはマットスクリーン等の散乱型スクリーン２００により乱反射されるが、その反射光Ｌｒには色ごとに多少の偏光成分が残存している。反射光Ｌｒは、右眼用シャッタ３１０および左眼用シャッタ３２０のうち開放されている方を透過して、透過光Ｌｔとなる。
【０００６】
ここで、図２（Ａ）に示すように、液晶シャッタの入射側偏光板が鉛直方向の透過軸を有する場合、鉛直方向に振動する赤色偏光・青色偏光は入射側偏光板を透過するが、水平方向に振動する緑色偏光は入射側偏光板を透過しないため、透過光Ｌｔは投射光Ｌｐと比べて赤色および青色（すなわち紫色）を帯びた光となってしまう。また、図２（Ｂ）に示すように、入射側偏光板が水平方向の透過軸を有する場合、逆に、緑色偏光は透過するが赤色偏光・青色偏光は透過しないため、透過光Ｌｔは投射光Ｌｐと比べて緑色を帯びた光となってしまう。つまり、以上のような場合、目的の色相を忠実に表示できないという問題がある。
【０００７】
この問題に対応する方法として、特定の波長の光の偏光軸を選択的に回転させる偏光モジュレータを使用して、各色の投射光の偏光軸を揃える方法が開示されている（特許文献２）。
【先行技術文献】
【特許文献】
【０００８】
【特許文献１】特開２００９−１５２８９７号公報
【特許文献２】特開２００８−  ２０９２１号公報
【発明の概要】
【発明が解決しようとする課題】
【０００９】
しかしながら、従来の偏光モジュレータを使用して偏光軸を回転させる方法を採用すると、投射型表示装置の構成が複雑になってしまい、製造が困難になるとともに製造コストが増大するという問題があった。
【００１０】
本発明は上述した問題に鑑みてなされたものであり、複数の投射光の偏光軸が異なる構成であっても、その偏光軸の相違が、目的の色相に及ぼす影響を低減することを解決課題とする。
【課題を解決するための手段】
【００１１】
上述した課題を解決するため、本発明にかかる立体視用メガネは、右眼用シャッタおよび左眼用シャッタが対称軸について線対称に配置された立体視用メガネであって、前記右眼用シャッタおよび前記左眼用シャッタの各々が、入射側偏光板および出射側偏光板、ならびに前記入射側偏光板と前記出射側偏光板との間に位置する液晶を含み、前記右眼用シャッタおよび前記左眼用シャッタの各々が、前記液晶の印加電圧に応じて開閉し、前記右眼用シャッタおよび前記左眼用シャッタの各々の前記入射側偏光板の偏光軸が、前記対称軸に対して傾斜していることを特徴とする。
【００１２】
この発明で「対称軸」とは、立体視用メガネの中心線であり、右眼用シャッタと左眼用シャッタが並ぶ方向に垂直な直線である。そして、「偏光軸が対称軸に対して傾斜している」とは、偏光軸が対称軸と平行でなく、かつ、偏光軸が対称軸と直交していないことをいう。
【００１３】
この発明によれば、右眼用シャッタおよび左眼用シャッタの各々の入射側偏光板の偏光軸が対称軸に対して傾斜しているので、鉛直方向（すなわち対称軸と平行な方向）に振動する偏光と水平方向（すなわち対称軸と直交する方向）に振動する偏光とを有する光が立体視用メガネに入射した場合でも、透過光における、反射光のうち水平方向に振動する成分に由来する強度と、反射光のうち鉛直方向に振動する成分に由来する強度との差が、右眼用シャッタおよび左眼用シャッタの各々の入射側偏光板の偏光軸が対称軸に対して平行または直交する場合に比べて低減される。したがって、投射光の偏光軸の相違が目的の色相に及ぼす影響を低減することができる。
【００１４】
ここで、前記右眼用シャッタおよび前記左眼用シャッタの各々の前記入射側偏光板の前記偏光軸が、前記対称軸に対して４５度±５度の範囲にあると好ましい。
この場合には、透過光における、反射光のうち水平方向に振動する成分に由来する強度と、反射光のうち鉛直方向に振動する成分に由来する強度との差がより小さくなるため、投射光の偏光軸の相違が目的の色相に及ぼす影響をより低減することができる。
【００１５】
また、前記右眼用シャッタの前記入射側偏光板の前記偏光軸と、前記左眼用シャッタの前記入射側偏光板の前記偏光軸とが、前記対称軸について線対称であると好ましい。
この場合には、各入射側偏光板が持つ視角特性の差を平均化することができる。
【００１６】
次に、本発明にかかる立体視用電子機器は、偏光軸の方向が相異なる第１投射光および第２投射光を投射して、右眼用画像および左眼用画像を時分割表示する投射型表示装置と、上述した立体視用メガネとを備えることを特徴とする。
また、前記第１投射光および前記第２投射光は、相異なる色相を有し、前記第１投射光および前記第２投射光の各々は、２以上の相異なる方向の偏光軸を有すると好ましい。
【図面の簡単な説明】
【００１７】
【図１】立体視用電子機器の概略図である。
【図２】従来技術における反射光、入射側偏光板の透過軸方向および透過光の関係を示す図である。
【図３】本願実施形態の投射型表示装置の構成例を示す図である。
【図４】本願実施形態の立体視用メガネの構成例を示す図である。
【図５】本願実施形態の立体視用メガネの液晶シャッタの断面図である。
【図６】入射光の水平方向成分および鉛直方向成分と偏光板の偏光軸の関係を示す図である。
【図７】偏光板の偏光軸の角度に対する入射光の水平方向成分および鉛直方向成分の強度の変化を示す図である。
【図８】本願実施形態にかかる入射側偏光板の偏光軸の角度を変化させた場合の、右眼用シャッタまたは左眼用シャッタを透過した光の色相の変化についての実験結果を示す図である。
【図９】本願の変形例にかかる立体視用メガネの構成例を示す図である。
【発明を実施するための形態】
【００１８】
＜１．実施形態＞
図１は、本発明のひとつの実施形態に係る立体視用電子機器Ｄの概略図である。立体視用電子機器Ｄは、相互に視差を有するカラーの画像を立体視可能に表示する表示装置であり、投射型表示装置１００と立体視用メガネ３００とを含んで構成される。投射型表示装置１００は、画像を表示するための投射光Ｌｐを散乱型スクリーン２００に投射する。観察者は立体視用メガネ３００を装着する。投射光Ｌｐを散乱型スクリーン２００の表面で反射させた反射光Ｌrが立体視用メガネ３００を透過して観察者に知覚される。
【００１９】
図３は、投射型表示装置の概略図である。本実施形態の投射型表示装置１００は、透過型の液晶パネルをライトバルブ１１０（１１０Ｒ，１１０Ｇ，１１０Ｂ）として利用した液晶プロジェクタである。投射型表示装置１００の内部には、ハロゲンランプ等の白色光源からなるランプユニット１０２が設けられている。このランプユニット１０２から射出された光は、内部に配置された３枚のミラー１０６および２枚のダイクロイックミラー１０８によって赤色光、緑色光、および青色光に分離されて、各色光に対応するライトバルブ１１０Ｒ、１１０Ｇおよび１１０Ｂにそれぞれ導かれる。これらの各色光は、各ライトバルブによって変調され偏光となる。各色の偏光のうち、赤色偏光および青色偏光は鉛直方向の偏光軸を、緑色偏光は水平方向の偏光軸を有する。各色の偏光はダイクロイックプリズム１１２に３方向から入射する。ダイクロイックプリズム１１２において、赤色偏光及び青色偏光は９０度に屈折する一方、緑色偏光は直進する。これにより、赤色偏光、緑色偏光および青色偏光が混合された投射光Ｌｐが、投射レンズ１１４を介して散乱型スクリーン２００に投射される。
【００２０】
投射型表示装置１００は、さらに、画像の表示に同期して立体視用メガネ３００を制御する制御部１５０を備える。
【００２１】
図４は、立体視用メガネ３００を前面側（散乱型スクリーン２００から到来する反射光Ｌｒの入射側）からみた構成図である。図４に示すように、立体視用メガネ３００は、対称軸３３０に関して線対称に配置された右眼用シャッタ３１０と左眼用シャッタ３２０とを具備するアクティブシャッタメガネである。対称軸３３０は、立体視用メガネ３００の中心線であり、右眼用シャッタ３１０と左眼用シャッタ３２０とが並ぶ方向に対して垂直な直線である。したがって、立体視用メガネ３００を装着した観察者が上半身を正立させた姿勢で散乱型スクリーン２００を視認する状態では、立体視用メガネ３００の対称軸３３０は鉛直方向に平行な方向を向く。
右眼用シャッタ３１０および左眼用シャッタ３２０は液晶シャッタで構成されており、入射光を透過したり遮断したりするシャッタ動作を行う。
【００２２】
図５は、本実施形態に用いられる立体視用メガネ３００の右眼用シャッタ３１０および左眼用シャッタ３２０の断面図である。右眼用シャッタ３１０および左眼用シャッタ３２０の各々は、相対向する基板３０２と基板３０７との間隙内に液晶３０４を封止した構成の液晶シャッタである。基板３０２は反射光Ｌｒの入射側に位置し、基板３０７は反射光Ｌｒの出射側（観察者側）に位置する。基板３０２における液晶３０４との対向面の全域には電極３０３が形成され、基板３０７における液晶３０４との対向面の全域には電極３０６が形成される。電極３０３が形成された基板３０２と電極３０６が形成された基板３０７とは接着剤３０５により接着される。基板３０２のうち液晶３０４とは反対側の表面には入射側偏光板３０１が貼付され、基板３０７のうち液晶３０４とは反対側の表面には出射側偏光板３０８が貼付される。
【００２３】
以上の構成において、右眼用シャッタ３１０および左眼用シャッタ３２０の各々は、電極３０３と電極３０６との間の電圧（液晶に対する印加電圧）に応じて開放されまたは閉鎖される。「開放される」とは、入射側偏光板３０１から入射した反射光Ｌrが液晶を透過して出射側偏光板３０８から観察者側に出射する状態になることであり、「閉鎖される」とは、入射側偏光板３０１から入射した反射光Ｌrが遮断されて観察者側に出射しない状態になることである。
【００２４】
なお、右眼用シャッタ３１０および左眼用シャッタ３２０の液晶３０４の配向モードは特に限定されない。ＶＡ（Vertical Alignment）、ＴＮ（Twisted Nematic）、ＳＴＮ（Super Twisted Nematic）、ＦＬＣ（Ferroelectric Liquid Crystal）、ＯＣＢ（Optically Compensated Bend）、ＥＣＢ（Electrically Controlled Birefringence）等の様々な動作モードが採用されうる。
【００２５】
投射型表示装置１００が散乱型スクリーン２００に右眼用画像と左眼用画像を投射光Ｌｐとして時分割で交互に投射する。投射光Ｌｐは散乱型スクリーン２００で反射され反射光Ｌｒとなり立体視用メガネ３００に入射する。投射型表示装置１００の制御部１５０は、右眼用画像を投射しているときは右眼用シャッタ３１０を開放するとともに左眼用シャッタ３２０を閉鎖し、左眼用画像を投射しているときは右眼用シャッタ３１０を閉鎖するとともに左眼用シャッタ３２０を開放する。その結果、反射光Ｌｒは右眼用シャッタ３１０および左眼用シャッタ３２０のうち開放されている方を透過して透過光Ｌｔとなって、利用者の右眼のみに右眼用画像が提示され、左眼のみに左眼用画像が提示されることにより、利用者に立体視画像が認識される。
【００２６】
前述のように、立体視画像を表示するための投射光Ｌpおよび反射光Ｌrは、鉛直方向に振動する赤色成分および青色成分と水平方向に振動する緑色成分とを含む。したがって、右眼用シャッタ３１０および左眼用シャッタ３２０の各々の入射側偏光板３０１の偏光軸３４０の方向を鉛直方向または水平方向に設定した場合、図２を参照して説明したように、目的の色相を忠実に観察者に知覚させることが阻害される。以上のように各色光成分の振動方向の相違に起因した色相のズレが低減されるように、本実施形態では、右眼用シャッタ３１０および左眼用シャッタ３２０の各々の入射側偏光板３０１の偏光軸３４０が、対称軸３３０に対して傾斜した方向に設定される。
【００２７】
ここで、偏光軸（透過軸）３４０が対称軸３３０に対して角度θをなす入射側偏光板３０１に水平方向の偏光と鉛直方向の偏光とを入射した場合の透過光の強度について検討する。図６に示すように、入射光のうち、水平方向に振動する成分の振幅をＰｘ、鉛直方向に振動する成分の振幅をＰｙとした場合に、入射光が鉛直方向から角度θ［°］だけ傾いた偏光軸を有する偏光板を透過した場合の、透過光の水平成分の強度Ｉｘおよび透過光の鉛直成分の強度Ｉｙは、
Ｉｘ＝Ｐｘ２ｃｏｓ２（９０°−θ）
Ｉｙ＝Ｐｙ２ｃｏｓ２θ
と表せる。そして、透過光全体の強度は各成分の和、すなわちＩｘ＋Ｉｙと表せる。
【００２８】
図７は、鉛直方向に対する入射側偏光板３０１の偏光軸３４０の角度θと、透過光の水平成分の強度Ｉｘおよび透過光の鉛直成分の強度Ｉｙの関係を示すグラフである。強度Ｉｘおよび強度Ｉｙは、最小値が０となり最大値が１となるように正規化された相対強度である。
【００２９】
角度θが０°である場合（入射側偏光板３０１の偏光軸３４０が鉛直方向に平行である場合）には、入射光のうち鉛直方向成分のみが入射側偏光板３０１を透過するから、図７から把握されるように、透過光では鉛直方向成分の強度Ｉｙが最大値（１）となり水平方向成分の強度Ｉｘが最小値（０）となる。角度θを０°から増加させていくと、入射光の鉛直方向の偏光成分のうち入射側偏光板３０１で遮光される割合が増加するとともに水平方向の偏光成分が透過する割合が増加し、角度θが４５°である場合に強度Ｉｘと強度Ｉｙとの大小が逆転する。そして、角度θが９０°である場合（入射側偏光板３０１の偏光軸３４０が水平方向に平行である場合）、透過光では水平方向成分の強度Ｉｘが最大値（１）となり鉛直方向成分の強度Ｉｙ（０）が最小値となる。
【００３０】
すなわち、入射側偏光板３０１の偏光軸３４０の角度θが０°または９０°の場合に、透過光における強度Ｉｘと強度Ｉｙとの差異（すなわち入射光の偏光方向の相違が透過光に及ぼす影響）が最大となる。他方、角度θが対称軸に水平方向や鉛直方向に対して傾斜する場合（θ≠０°，θ≠９０°）に強度Ｉｘと強度Ｉｙとの差異が抑制される。特に角度θが４５°の場合には強度Ｉｘと強度Ｉｙとの差異が最小となる（Ｉｘ＝Ｉｙ＝０．５）。
【００３１】
以上の傾向を考慮して、本実施形態における右眼用シャッタ３１０および左眼用シャッタ３２０の各々の入射側偏光板３０１の偏光軸３４０は、図４に示すように、対称軸３３０（鉛直方向）に対して傾斜するように設定される。すなわち、対称軸３３０に対する偏光軸３４０の角度θは０°および９０°以外の角度に設定される。具体的には、図７を参照して説明した通り、強度Ｉｘと強度Ｉｙとの差異が有効に抑制されるように角度θは４５°±５°の範囲Ｒ内の角度に設定され、最も好適には、強度Ｉｘと強度Ｉｙとの差異が最小（０）となるように角度θは４５°に設定される。また、右眼用シャッタ３１０の入射側偏光板３０１の偏光軸３４０と左眼用シャッタ３２０の入射側偏光板３０１の偏光軸３４０とは対称軸３３０に関して線対称の関係にある。他方、右眼用シャッタ３１０および左眼用シャッタ３２０の各々の出射側偏光板３０８の偏光軸の方向は、入射側偏光板３０１の偏光軸３４０の方向と液晶の配向モードとに応じて選定される。
【００３２】
以上に説明したように、右眼用シャッタ３１０および左眼用シャッタ３２０の各々における入射側偏光板３０１の偏光軸３４０が対称軸３３０（鉛直方向）に対して傾斜するから、各色光成分の振動方向の相違に起因した色相のズレが低減される。すなわち、水平方向（すなわち対称軸３３０に直交する方向）に振動する成分（緑色偏光）と鉛直方向（すなわち対称軸３３０と平行な方向）に振動する成分（赤色偏光および青色偏光）とを有する反射光Ｌｒが立体視用メガネ３００に入射しても、この偏光軸の相違に起因した色相のズレが低減される。
【００３３】
図８は、入射側偏光板３０１の偏光軸３４０の角度θを変化させた場合の、右眼用シャッタ３１０または左眼用シャッタ３２０を透過した光の色相の変化についての実験結果を示す図であり、ＣＩＥ（Commission International de l'Eclairage、国際照明委員会）のｘｙ色度図上に、偏光軸３４０が対称軸３３０に対してなす角度がそれぞれθ＝０°、θ＝４５°、θ＝９０°の場合において、白色の反射光Ｌｒを右眼用シャッタ３１０または左眼用シャッタ３２０に入射させたときの透過光Ｌｔの色相および対照となる昼白色（Ｄ６５標準光）の色相をプロットしたものである。
【００３４】
昼白色の色相は（ｘ，ｙ）＝（０．３１２７、０．３２９０）である。θ＝０°の場合、色相は（ｘ，ｙ）＝（０．３４３，０．２４０）であり、昼白色との色度図上の距離は０．０９４０であった。θ＝９０°の場合、色相は（ｘ，ｙ）＝（０．３１３，０．３７５）であり、昼白色との色度図上の距離は０．０４６０であった。θ＝４５°の場合、色相は（ｘ，ｙ）＝（０．３１７，０．３３２）であり、昼白色との色度図上の距離は０．００５２であり、θ＝０°およびθ＝９０°と比べて最も小さかった。
すなわち、実際に、偏光軸３４０と対称軸３３０とがなす角度がθ＝０°およびθ＝９０°であるときに比べて、θ＝４５°のときの透過光Ｌｔの色相の方が、入射した反射光Ｌｒの色相である白色により近く、偏光成分の振動方向の相違が利用者が認識する色相に与える影響が低減されていると言える。
【００３５】
＜２．変形例＞
以下の例示から任意に選択された２以上の態様は、相互に矛盾しない限り任意に併合され得る。
上述した実施形態では、右眼用シャッタ３１０の入射側偏光板３０１の偏光軸３４０と左眼用シャッタ３２０の入射側偏光板３０１の偏光軸３４０が対称軸３３０に対して４５°±５°の角度をなしているが、偏光軸３４０の角度は限定されない。すなわち、偏光軸３４０が対称軸３３０に対して傾斜していればよい。このようにしても、透過光Ｌｔにおける、反射光Ｌｒのうち水平方向に振動する成分に由来する強度と、反射光Ｌｒのうち鉛直方向に振動する成分に由来する強度との差が、右眼用シャッタ３１０および左眼用シャッタ３２０の各々の入射側偏光板３０１の偏光軸３４０が対称軸３３０に対して平行であるか直交する場合に比べて小さくなるため、偏光軸の相違が色相に及ぼす影響を低減することができる。
【００３６】
上述した実施形態では、立体視用メガネ３００の右眼用シャッタ３１０の入射側偏光板３０１の偏光軸３４０と左眼用シャッタ３２０の入射側偏光板３０１の偏光軸３４０とが立体視用メガネ３００の上部で交差する関係にあるが、本発明はこれに限定されるものではなく、図９（Ａ）のように、右眼用シャッタ３１０の入射側偏光板３０１の偏光軸３４０と左眼用シャッタ３２０の入射側偏光板３０１の偏光軸３４０とが立体視用メガネ３００の下部で交差してもよい。
【００３７】
また、上述した実施形態では、右眼用シャッタ３１０の入射側偏光板３０１の偏光軸３４０と左眼用シャッタ３２０の入射側偏光板３０１の偏光軸３４０が対称軸３３０について線対称であるが、これらの偏光軸３４０が対称軸３３０について線対称でなくてもよい。例えば、図９（Ｂ）や図９（Ｃ）のように、右眼用シャッタ３１０の入射側偏光板３０１の偏光軸３４０と左眼用シャッタ３２０の入射側偏光板３０１の偏光軸３４０が同一の方向であってもよい。このようにした場合には、右眼用シャッタ３１０と左眼用シャッタ３２０の構成を同一にできるので、立体視用メガネ３００の構成を簡略にすることができる。ただし、図４や図９（Ａ）のように、入射側偏光板３０１の偏光軸３４０を対称軸３３０について線対称に構成する場合には、右眼用シャッタ３１０の入射側偏光板３０１および左眼用シャッタ３２０の入射側偏光板３０１が持つ視角特性の差を平均化することができるという利点がある。
【００３８】
また、上述した実施形態では、右眼用シャッタ３１０の入射側偏光板３０１の偏光軸３４０と対称軸３３０とがなす角度θと、左眼用シャッタ３２０の入射側偏光板３０１の偏光軸３４０と対称軸３３０とがなす角度θは同一であるが、これらの角度が互いに異なっていてもよい。
【００３９】
上述した実施形態では、投射型表示装置１００からの投射光Ｌｐのうち、赤色偏光および青色偏光が鉛直方向に振動し、緑色偏光が水平方向に振動するが、各色光成分の振動方向は任意であって、投射型表示装置１００からの投射光Ｌｐが、偏光軸の方向が相異なる第１投射光および第２投射光を含んでいればよい。この場合にも、上述した立体視用メガネ３００を用いることで、投射光の偏光軸の相違が色相に及ぼす影響が低減される。
第１投射光および第２投射光の色相は、同一であっても相異なっていてもよい。また、第１投射光および第２投射光が有する偏光軸の方向は１つに限られず、相異なる２以上の方向の偏光軸であってもよい。この場合にも、上述した立体視用メガネ３００を用いることで、投射光の偏光軸の相違が色相に及ぼす影響が低減される。
【００４０】
上述した実施形態では、投射型表示装置１００からの投射光Ｌｐを反射するためのスクリーンとして散乱型スクリーン２００を用いているが、本発明はこれに限定されるものではなく、回帰型スクリーン、反射型スクリーン等、異なる型のスクリーンについても適用可能である。
【符号の説明】
【００４１】
１００…投射型表示装置、２００…散乱型スクリーン、３００…立体視用メガネ、３０１…入射側偏光板、３０４…液晶、３０８…出射側偏光板、３１０…右眼用シャッタ、３２０…左眼用シャッタ、３３０…立体視用メガネの対称軸、３４０…入射側偏光板の偏光軸、Ｌｐ…投射光、Ｌｒ…反射光、Ｌｔ…透過光。
【図１】
2012037746.tif 000003
【図２】
2012037746.tif 000004
【図３】
2012037746.tif 000005
【図４】
2012037746.tif 000006
【図５】
2012037746.tif 000007
【図６】
2012037746.tif 000008
【図７】
2012037746.tif 000009
【図８】
2012037746.tif 000010
【図９】
2012037746.tif 000011